【手続補正書】
【提出日】平成16年7月8日(2004.7.8)
【手続補正１】
【補正対象書類名】明細書
【補正対象項目名】特許請求の範囲
【補正方法】変更
【補正の内容】
【特許請求の範囲】
【請求項１】
写真フィルムのプリント方法の入力を行うための入力手段と、前記入力手段により入力された内容が受付情報として記録された票を出力する出力手段とを備える写真フィルムプリント受付装置と、
前記票と共に前記写真フィルムを受け取る窓口において、前記票から前記受付情報を読み取って受付処理を実行する端末と、を備え、
受付処理された前記写真フィルムと前記受付情報とがプリント工場におけるプリント処理に供されるようにしたことを特徴とする写真フィルムプリントシステム。
【請求項２】
前記入力手段からは、前記写真フィルムに記録された画像をデジタルデータとして、第１の記録媒体に記録する旨の情報を入力可能であり、
該入力手段より入力された前記第１の記録媒体に記録する旨の情報が前記受付情報に含めて票に記録されることを特徴とする請求項１に記載の写真フィルムプリントシステム。
【請求項３】
前記受付情報は前記票にバーコードで記録されており、
前記端末は前記バーコードを読み取る第１の読取手段を有することを特徴とする請求項１又は２に記載の写真フィルムプリントシステム。
【請求項４】
前記端末は、前記写真フィルムのプリント方法に対応したプリント料金を入金するための第１の入金手段を備えることを特徴とする請求項１から３のいずれか１項に記載の写真フィルムプリントシステム。
【請求項５】
前記写真フィルムプリント受付装置は、前記写真フィルムのプリント方法に対応したプリント料金を入金するための第２の入金手段を備えることを特徴とする請求項１から４のいずれか１項に記載の写真フィルムプリントシステム。
【請求項６】
前記受付情報がネットワークを介して前記プリント工場に送信されることを特徴とする請求項１から５のいずれか１項に記載の写真フィルムプリントシステム。
【請求項７】
前記写真フィルムプリント受付装置は、前記写真フィルムを格納したフィルムカートリッジに記載された、前記写真フィルムを識別する識別情報を読み取る第２の読取手段を備え、
前記第２の読取手段により読み取られた識別情報がネットワークを介して前記プリント工場に送信されることを特徴とする請求項１から６のいずれか１項に記載の写真フィルムプリントシステム。
【請求項８】
前記写真フィルムプリント受付装置は、前記写真フィルムのプリントを受け付けた際に、該写真フィルムのプリントの引換証を発行する引換証発行手段を備えることを特徴とする請求項１から７のいずれか１項に記載の写真フィルムプリントシステム。
【請求項９】
前記入力手段は、タッチパネル構成の操作ディスプレイであり、前記プリント方法として少なくとも写真フィルムの種類とプリント態様を入力可能であることを特徴とする請求項１から８のいずれか１項に記載の写真フィルムプリントシステム。
【請求項１０】
写真フィルムのプリントの受付に用いられる写真フィルムプリント受付装置であって、
前記写真フィルムのプリント方法の入力を行うための入力手段と、
前記入力手段により入力された内容が受付情報として記録された票を出力する出力手段とを備える写真フィルムプリント受付装置。
【請求項１１】
前記入力手段からは、前記写真フィルムに記録された画像をデジタルデータとして、第１の記録媒体に記録する旨の情報を入力可能であり、
該入力手段より入力された前記第１の記録媒体に記録する旨の情報が前記受付情報に含めて票に記録されることを特徴とする請求項１０に記載の写真フィルムプリント受付装置。
【請求項１２】
前記受付情報は前記票にバーコードで記録されていることを特徴とする請求項１０又は１１に記載の写真フィルムプリント受付装置。
【請求項１３】
前記フィルムのプリント方法に対応したプリント料金を入金するための第２の入金手段を備えることを特徴とする請求項１０から１２のいずれか１項に記載の写真フィルムプリント受付装置。
【請求項１４】
前記受付情報がネットワークを介してプリント工場に送信されることを特徴とする請求項１０から１３のいずれか１項に記載の写真フィルムプリント受付装置。
【請求項１５】
前記写真フィルムプリント受付装置は、前記写真フィルムを格納したフィルムカートリッジに記載された、前記写真フィルムを識別する識別情報を読み取る第２の読取手段を備え、
前記第２の読取手段により読み取られた識別情報がネットワークを介してプリント工場に送信されることを特徴とする請求項１０から１４のいずれか１項に記載の写真フィルムプリント受付装置。
【請求項１６】
前記写真フィルムのプリントを受け付けた際に、該写真フィルムのプリント結果の引換証を発行する引換証発行手段を備えることを特徴とする請求項１０から１５のいずれか１項に記載の写真フィルムプリント受付装置。
【請求項１７】
写真フィルムのプリントの受付に用いられるコンピュータに、
前記写真フィルムのプリント方法の入力を受け付ける入力処理と、
前記入力された内容が受付情報として記録された票を出力する出力処理とを実行させる写真フィルムプリント受付プログラムを記録した記録媒体。
【請求項１８】
前記入力処理は、前記写真フィルムに記録された画像をデジタルデータとして、第１の記録媒体に記録する旨の情報の入力を受け付けるステップを含み、
前記出力処理は、前記第１の記録媒体に記録する旨の情報を前記受付情報に含めて票に記録するステップを含むことを特徴とする請求項１７に記載の写真フィルムプリント受付プログラムを記録した記録媒体。
【請求項１９】
写真フィルムプリント受付装置が、写真フィルムのプリント方法の入力を受け付ける入力工程と、
前記写真フィルムプリント受付装置が、前記入力された内容が受付情報として記録された票を出力する出力工程と、
前記票と共に前記写真フィルムを受け取る窓口に設けられた端末が、前記票から前記受付情報を読み取って受付処理を実行する受付工程と、を含み、
受付処理された前記写真フィルムと前記受付情報とがプリント工場におけるプリント処理に供されるようにしたことを特徴とする写真フィルムプリント方法。
【請求項２０】
前記入力工程は、前記写真フィルムに記録された画像をデジタルデータとして、第１の記録媒体に記録する旨の情報の入力を受け付けるステップを含み、
前記出力工程は、前記第１の記録媒体に記録する旨の情報を前記受付情報に含めて票に記録するステップを含むことを特徴とする請求項１９に記載の写真フィルムプリント方法。
【手続補正２】
【補正対象書類名】明細書
【補正対象項目名】０００９
【補正方法】変更
【補正の内容】
【０００９】
【課題を解決するための手段】
上記目的を達成するために、本発明に係る写真フィルムプリントシステムは、写真フィルムのプリント方法の入力を行うための入力手段と、前記入力手段により入力された内容が受付情報として記録された票を出力する出力手段とを備える写真フィルムプリント受付装置と、前記票と共に前記写真フィルムを受け取る窓口において、前記票から前記受付情報を読み取って受付処理を実行する端末と、を備える。これにより、受付処理された前記写真フィルムと前記受付情報とがプリント工場におけるプリント処理に供されるようにした。
【手続補正３】
【補正対象書類名】明細書
【補正対象項目名】００１０
【補正方法】変更
【補正の内容】
【００１０】
また、前記入力手段からは、前記写真フィルムに記録された画像をデジタルデータとして、第１の記録媒体に記録する旨の情報を入力可能であり、該入力手段より入力された前記第１の記録媒体に記録する旨の情報が前記受付情報に含めて票に記録されることが好ましい。
【手続補正４】
【補正対象書類名】明細書
【補正対象項目名】００１１
【補正方法】変更
【補正の内容】
【００１１】
また、前記受付情報は前記票にバーコードで記録されており、前記端末は前記バーコードを読み取る第１の読取手段を有することが好ましい。
【手続補正５】
【補正対象書類名】明細書
【補正対象項目名】００１２
【補正方法】変更
【補正の内容】
【００１２】
また、前記端末は、前記写真フィルムのプリント方法に対応したプリント料金を入金するための第１の入金手段を備えることが好ましい。
【手続補正６】
【補正対象書類名】明細書
【補正対象項目名】００１４
【補正方法】変更
【補正の内容】
【００１４】
また、前記受付情報がネットワークを介して前記プリント工場に送信されることが好ましい。
【手続補正７】
【補正対象書類名】明細書
【補正対象項目名】００１５
【補正方法】変更
【補正の内容】
【００１５】
また、前記写真フィルムプリント受付装置は、前記写真フィルムを格納したフィルムカートリッジに記載された、前記写真フィルムを識別する識別情報を読み取る第２の読取手段を備え、前記第２の読取手段により読み取られた識別情報がネットワークを介して前記プリント工場に送信されることが好ましい。
【手続補正８】
【補正対象書類名】明細書
【補正対象項目名】００１６
【補正方法】変更
【補正の内容】
【００１６】
また、前記写真フィルムプリント受付装置は、前記写真フィルムのプリントを受け付けた際に、該写真フィルムのプリントの引換証を発行する引換証発行手段を備えることが好ましい。さらに、前記入力手段は、タッチパネル構成の操作ディスプレイであり、前記プ
リント方法として少なくとも写真フィルムの種類とプリント態様を入力可能であることが好ましい。
【手続補正９】
【補正対象書類名】明細書
【補正対象項目名】００１７
【補正方法】変更
【補正の内容】
【００１７】
さらに、本発明に係る写真フィルムプリント受付装置は、写真フィルムのプリントの受付に用いられる写真フィルムプリント受付装置であって、前記写真フィルムのプリント方法の入力を行うための入力手段と、前記入力手段により入力された内容が受付情報として記録された票を出力する出力手段とを備える。
【手続補正１０】
【補正対象書類名】明細書
【補正対象項目名】００１８
【補正方法】変更
【補正の内容】
【００１８】
また、前記入力手段からは、前記写真フィルムに記録された画像をデジタルデータとして、第１の記録媒体に記録する旨の情報を入力可能であり、該入力手段より入力された前記第１の記録媒体に記録する旨の情報が前記受付情報に含めて票に記録されることが好ましい。ここで、前記受付情報は前記票にバーコードで記録されていることが好ましい。
【手続補正１１】
【補正対象書類名】明細書
【補正対象項目名】００２０
【補正方法】変更
【補正の内容】
【００２０】
また、前記受付情報がネットワークを介して前記プリント工場に送信されることが好ましい。
【手続補正１２】
【補正対象書類名】明細書
【補正対象項目名】００２１
【補正方法】変更
【補正の内容】
【００２１】
また、前記写真フィルムプリント受付装置は、前記写真フィルムを格納したフィルムカートリッジに記載された、前記写真フィルムを識別する識別情報を読み取る第２の読取手段を備え、前記第２の読取手段により読み取られた識別情報がネットワークを介して前記プリント工場に送信されることが好ましい。
【手続補正１３】
【補正対象書類名】明細書
【補正対象項目名】００２３
【補正方法】変更
【補正の内容】
【００２３】
さらに、本発明に係る写真フィルムプリント受付プログラムを記録した記録媒体は、写真フィルムのプリントの受付に用いられるコンピュータに、前記写真フィルムのプリント方法の入力を受け付ける入力処理と、前記入力された内容が受付情報として記録された票を出力する出力処理とを実行させる写真フィルムプリント受付プログラムを記録した。
【手続補正１４】
【補正対象書類名】明細書
【補正対象項目名】００２４
【補正方法】変更
【補正の内容】
【００２４】
また、前記入力処理は、前記写真フィルムに記録された画像をデジタルデータとして、第１の記録媒体に記録する旨の情報の入力を受け付けるステップを含み、前記出力処理は、前記第１の記録媒体に記録する旨の情報を前記受付情報に含めて票に記録するステップを含むことが好ましい。
【手続補正１５】
【補正対象書類名】明細書
【補正対象項目名】００２５
【補正方法】変更
【補正の内容】
【００２５】
さらに、本発明に係る写真フィルムプリント方法は、写真フィルムプリント受付装置が、写真フィルムのプリント方法の入力を受け付ける入力工程と、前記写真フィルムプリント受付装置が、前記入力された内容が受付情報として記録された票を出力する出力工程と、前記票と共に前記写真フィルムを受け取る窓口に設けられた端末が、前記票から前記受付情報を読み取って受付処理を実行する受付工程と、を含み、受付処理された前記写真フィルムと前記受付情報とがプリント工場におけるプリント処理に供されるようにした。
【手続補正１６】
【補正対象書類名】明細書
【補正対象項目名】００２６
【補正方法】変更
【補正の内容】
【００２６】
また、前記入力工程は、前記写真フィルムに記録された画像をデジタルデータとして、第１の記録媒体に記録する旨の情報の入力を受け付けるステップを含み、前記出力工程は、前記第１の記録媒体に記録する旨の情報を前記受付情報に含めて票に記録するステップを含むことが好ましい。
【手続補正１７】
【補正対象書類名】明細書
【補正対象項目名】００２７
【補正方法】変更
【補正の内容】
【００２７】
したがって、本発明によれば、写真フィルムプリント受付装置から写真フィルムのプリント方法を入力すると、この情報が票に記載されて発行されるため、従来のように、手書きで票を作成することもなくなり、写真プリントの発注者及び受注者にとって、手間が軽減されたシステムとすることができる。
【手続補正１８】
【補正対象書類名】明細書
【補正対象項目名】０１０７
【補正方法】変更
【補正の内容】
【０１０７】
ここで、レジにおける写真フィルムの受付処理としては、写真フィルムが入った写真フィルム袋２０４を、例えば籠や箱に収納するのみの、単なる受け取り処理であっても良いが、例えば図９に示されるように、フィルム渡し票１００１に記載されたバーコード１００３を、本発明の構成要素たる端末及び第１の入金手段としてのＰＯＳ端末９０４に具備された、本発明の構成要素たる第１の読取手段としてのバーコードリーダー９０２に読み取らせても良い。
【手続補正１９】
【補正対象書類名】明細書
【補正対象項目名】０１２５
【補正方法】変更
【補正の内容】
【０１２５】
【発明の効果】
以上の説明から明らかなように、本発明によれば、写真フィルムの発注者が写真フィルムプリント受付装置に自己が望むプリント方法を入力するだけで票が発行され、この票に基づいて、写真フィルムのプリント工場への送付、プリント処理がなされるため、プリント処理に伴う受付処理を大幅に簡略化し、プリント処理の発注者及び受注者にとって利便性の高いシステムとすることができる。